(57)【要約】  表面に関して物体を支持するための載置システムであって、システムは、物体が使用中に取り付けられるヘッドユニットであって、支持体、物体が使用中に取り付けられる物体結合部、およびそれぞれに少なくとも1つの脚部が取り外し可能に取り付けられる少なくとも1つの脚結合部を備えるヘッドユニットと、少なくとも1つの脚部を提供する少なくとも1つのトレッキングポールと、を備えた載置部を備える、載置システム。
2018527533.tif 000002
【特許請求の範囲】
【請求項１】
表面に関して物体を支持するための載置システムであって、該システムは、前記物体が使用中に取り付けられるヘッドユニットであって、支持体、前記物体が使用中に取り付けられる物体結合部、およびそれぞれに少なくとも1つの脚部が取り外し可能に取り付けられる少なくとも1つの脚結合部を備えるヘッドユニットと、前記少なくとも1つの脚部を提供する少なくとも1つのトレッキングポールと、を備えた載置部を備える、載置システム。
【請求項２】
前記物体は、カメラ、ライフル、照準器、単眼鏡、または双眼鏡のうちの1つを含む、請求項1に記載のシステム。
【請求項３】
前記載置部は、複数の脚結合部と、複数の脚部を提供する複数のトレッキングポールと、を備える、請求項1または2に記載のシステム。
【請求項４】
前記物体に設けられ、前記載置部に取り外し可能に取り付け可能である固定具をさらに備える、請求項1から3のいずれか一項に記載のシステム。
【請求項５】
前記物体は前記載置部に直接固定される、請求項1から3のいずれか一項に記載のシステム。
【請求項６】
前記物体結合部は、前記支持体に旋回可能に結合される取付部材を備える、請求項1から5のいずれか一項に記載のシステム。
【請求項７】
前記物体結合部の前記取付部材は、磁気結合部を提供するための磁気要素を含んでいる、請求項6に記載のシステム。
【請求項８】
前記少なくとも1つの脚結合部は、前記少なくとも1つの脚部が外方に広げられる第1の外方支持位置と、前記少なくとも1つの脚部が内方に配置される第2の内方折り畳み位置と、の間を旋回軸の周りに旋回可能に前記支持体に結合される、請求項1から7のいずれか一項に記載のシステム。
【請求項９】
前記少なくとも1つの脚結合部は、前記少なくとも1つの脚部が取り外し可能に取り付けられる取付部材を備える、請求項1から8のいずれか一項に記載のシステム。
【請求項１０】
前記少なくとも1つの脚結合部の前記取付部材は、磁気結合部を提供するための磁気要素を含んでいる、請求項9に記載のシステム。
【請求項１１】
前記少なくとも1つの脚結合部の前記取付部材は、軌道または従動子の一方を含み、前記少なくとも1つの脚部は、前記少なくとも1つの脚結合部の前記軌道または前記従動子と共に設置可能な相手側の軌道または従動子の他方を含み、これにより前記少なくとも1つの脚部の回転が、前記少なくとも1つの脚結合部の前記取付部材に対する前記少なくとも1つの脚部の軸方向の変位を引き起こす、請求項9または10に記載のシステム。
【請求項１２】
前記少なくとも1つのトレッキングポールは、前記少なくとも1つの脚部を提供するポール部分を備える、請求項1から11のいずれか一項に記載のシステム。
【請求項１３】
前記少なくとも1つのトレッキングポールは、前記ポール部分の一端に取り外し可能な把持部を備える、請求項12に記載のシステム。
【請求項１４】
前記少なくとも1つのトレッキングポールは、前記ポール部分の他端に足部を備える、請求項13に記載のシステム。
【請求項１５】
前記ポール部分は複数のポール要素を備え、該ポール要素は、前記ポール部分が異なる長さを有することを許容し、任意選択的に入れ子式の構成によって連続的に延長可能である、請求項12から14のいずれか一項に記載のシステム。
【請求項１６】
前記ポール要素は複合材料から形成される、請求項15に記載のシステム。
【請求項１７】
前記ポール部分は、その一端に取付部材を備え、該取付部材は、個々の前記脚結合部の前記取付部材に取り付け可能である、請求項12から16のいずれか一項に記載のシステム。
【請求項１８】
前記ポール部分の前記取付部材は、磁気結合部を提供するための磁気要素を含んでいる、請求項17に記載のシステム。
【請求項１９】
ように、前記ポール部分の前記取付部材は、軌道または従動子の一方を含み、前記少なくとも1つの脚結合部は、前記ポール部分の前記軌道または前記従動子と共に設置可能な相手側の軌道または従動子の他方を含み、これにより前記ポール部分の回転が、前記少なくとも1つの脚結合部の前記取付部材に対する前記ポール部分の軸方向の変位を引き起こす、請求項17または18に記載のシステム。
【請求項２０】
前記把持部は、前記ポール部分の前記取付部材が取り外し可能に取り付けられる取付部材を備える、請求項19に記載のシステム。
【請求項２１】
前記把持部の前記取付部材は、磁気結合部を提供するための磁気要素を含んでいる、請求項20に記載のシステム。
【請求項２２】
前記把持部の前記取付部材は、軌道または従動子の一方を含み、、前記ポール部分は、前記把持部の前記軌道または前記従動子と共に設置可能な相手側の軌道または従動子の他方を含み、これにより前記ポール部分の回転が、前記把持部の前記取付部材に対する前記ポール部分の軸方向の変位を引き起こす、請求項20または21に記載のシステム。
【請求項２３】
前記載置部は、3つの脚部を備えた三脚載置部である、請求項1から22のいずれか一項に記載のシステム。
【請求項２４】
前記載置部は、2つの脚部を備えた二脚載置部である、請求項1から22のいずれか一項に記載のシステム。
【請求項２５】
ポール部分を備え、該ポール部分は、別体の構成要素の相手側取付部材に取り付けられるように適合された取付部材を、その一端に備えるトレッキングポール。
【請求項２６】
前記ポール部分は複数のポール要素を備え、該ポール要素は、前記ポール部分が異なる長さを有することを許容し、任意選択的に入れ子式の構成によって連続的に延長可能である、請求項25に記載のトレッキングポール。
【請求項２７】
前記ポール要素は複合材料から形成される、請求項26に記載のトレッキングポール。
【請求項２８】
前記ポール部分の前記取付部材は、磁気結合部を提供するための磁気要素を含んでいる、請求項25から27のいずれか一項に記載のトレッキングポール。
【請求項２９】
前記ポール部分の前記取付部材は、軌道または従動子の一方を含み、該軌道または従動子の一方は、任意選択的に載置部のヘッドユニットである前記別体の構成要素の前記取付部材の相手側の軌道または従動子と共に設置可能であり、これにより前記ポール部分の回転が、前記別体の構成要素の前記取付部材に対する前記ポール部分の軸方向の変位を引き起こす、請求項25から28のいずれか一項に記載のトレッキングポール。
【請求項３０】
取り外し可能な把持部をさらに備え、該把持部は、前記ポール部分の前記取付部材が取り外し可能に取り付けられる取付部材を備える、請求項25から29のいずれか一項に記載のトレッキングポール。
【請求項３１】
前記把持部の前記取付部材は、磁気結合部を提供するための磁気要素を含んでいる、請求項30に記載のトレッキングポール。
【請求項３２】
前記把持部の前記取付部材は、軌道または従動子の一方を含み、該軌道または従動子の一方は、前記ポール部分の前記軌道または前記従動子と共に設置可能であり、これにより前記ポール部分の回転が、前記把持部の前記取付部材に対する前記ポール部分の軸方向の変位を引き起こす、請求項30または31記載のトレッキングポール。
【発明の詳細な説明】
【技術分野】
【０００１】
本発明は、しばしばハイキングポールまたはウォーキングポールと代わりに称されるトレッキングポールを、支持脚のうちの１つ以上として利用する載置システムと、その載置システムで使用するためのトレッキングポールとに関する。
【背景技術】
【０００２】
三脚は、ライフル、照準器、単眼鏡、双眼鏡、およびカメラを含む様々な機器を支持するために、一般的に使用されている。
【０００３】
本発明者らは、トレッキングポールを利用するように三脚載置部を構成できることを認識し、これは、トレッキングポールも使用する使用者によって機器が使用される場合に、使用者が運ぶ必要のある機器を減らせるため、特に有利である。
【発明の概要】
【発明が解決しようとする課題】
【０００４】
本発明の目的は、トレッキングポールを利用した載置システムを提供することである。
【課題を解決するための手段】
【０００５】
一態様では、本発明は、表面に関して物体を支持するための載置システムであって、システムは、物体が使用中に取り付けられるヘッドユニットであって、支持体、物体が使用中に取り付けられる物体結合部、およびそれぞれに少なくとも1つの脚部が取り外し可能に取り付けられる少なくとも1つの脚結合部を備えるヘッドユニットと、少なくとも1つの脚部を提供する少なくとも1つのトレッキングポールと、を備えた載置部を備える、載置システムを提供する。
【０００６】
一実施形態では、物体は、カメラ、ライフル、照準器、単眼鏡、または双眼鏡のうちの1つを含む。
【０００７】
一実施形態では、載置部は、複数の脚結合部と、複数の脚部を提供する複数のトレッキングポールと、を備える。
【０００８】
一実施形態では、システムは、物体に設けられ、載置部に取り外し可能に取り付け可能である固定具をさらに備える。
【０００９】
別の実施形態では、物体は載置部に直接固定される。
【００１０】
一実施形態では、物体結合部は、支持体に旋回可能に結合される取付部材を備える。
【００１１】
一実施形態では、物体結合部の取付部材は、磁気結合部を提供するための磁気要素を含んでいる。
【００１２】
一実施形態では、少なくとも1つの脚結合部は、少なくとも1つの脚部が外方に広げられる第1の外方支持位置と、少なくとも1つの脚部が内方に配置される第2の内方折り畳み位置と、の間を旋回軸の周りに旋回可能に支持体に結合される。
【００１３】
一実施形態では、少なくとも1つの脚結合部は、少なくとも1つの脚部が取り外し可能に取り付けられる取付部材を備える。
【００１４】
一実施形態では、少なくとも1つの脚結合部の取付部材は、磁気結合部を提供するための磁気要素を含んでいる。
【００１５】
一実施形態では、少なくとも1つの脚結合部の取付部材は、軌道または従動子の一方を含み、少なくとも1つの脚部は、少なくとも1つの脚結合部の軌道または従動子と共に設置可能な相手側の軌道または従動子の他方を含み、これにより少なくとも1つの脚部の回転が、少なくとも1つの脚結合部の取付部材に対する少なくとも1つの脚部の軸方向の変位を引き起こす。
【００１６】
一実施形態では、少なくとも1つのトレッキングポールは、少なくとも1つの脚部を提供するポール部分を備える。
【００１７】
一実施形態では、少なくとも1つのトレッキングポールは、ポール部分の一端に取り外し可能な把持部を備える。
【００１８】
一実施形態では、少なくとも1つのトレッキングポールは、ポール部分の他端に足部を備える。
【００１９】
一実施形態では、ポール部分は複数のポール要素を備え、ポール要素は、ポール部分が異なる長さを有することを許容し、任意選択的に入れ子式の構成によって連続的に延長可能である。
【００２０】
一実施形態では、ポール要素は複合材料から形成される。
【００２１】
一実施形態では、ポール部分は、その一端に取付部材を備え、取付部材は、個々の脚結合部の取付部材に取り付け可能である。
【００２２】
一実施形態では、ポール部分の取付部材は、磁気結合部を提供するための磁気要素を含んでいる。
【００２３】
一実施形態では、ポール部分の取付部材は、軌道または従動子の一方を含み、少なくとも1つの脚結合部は、ポール部分の軌道または従動子と共に設置可能な相手側の軌道または従動子の他方を含み、これによりポール部分の回転が、少なくとも1つの脚結合部の取付部材に対するポール部分の軸方向の変位を引き起こす。
【００２４】
一実施形態では、把持部は、ポール部分の取付部材が取り外し可能に取り付けられる取付部材を備える。
【００２５】
一実施形態では、把持部の取付部材は、磁気結合部を提供するための磁気要素を含んでいる。
【００２６】
一実施形態では、把持部の取付部材は、軌道または従動子の一方を含み、ポール部分は、把持部の軌道または従動子と共に設置できる相手側の軌道または従動子の他方を含み、これによりポール部分の回転が、把持部の取付部材に対するポール部分の軸方向の変位を引き起こす。
【００２７】
一実施形態では、載置部は、3つの脚部を備えた三脚載置部である。
【００２８】
別の実施形態では、載置部は、2つの脚部を備えた二脚載置部である。
【００２９】
別の態様では、本発明は、ポール部分を備え、ポール部分は、別体の構成要素の相手側取付部材に取り付けられるように適合された取付部材を、その一端に備えるトレッキングポールを提供する。
【００３０】
一実施形態では、ポール部分は複数のポール要素を備え、ポール要素は、ポール部分が異なる長さを有することを許容し、任意選択的に入れ子式の構成によって連続的に延長可能である。
【００３１】
一実施形態では、ポール要素は複合材料から形成される。
【００３２】
一実施形態では、ポール部分の取付部材は、磁気結合部を提供するための磁気要素を含んでいる。
【００３３】
一実施形態では、ポール部分の回転が、別体の構成要素の取付部材に対するポール部分の軸方向の変位を引き起こすように、ポール部分の取付部材は、軌道または従動子の一方を含み、該起動または従動子の一方は、任意選択的に載置部のヘッドユニットである別体の構成要素の取付部材の相手側の軌道または従動子と共に設置可能であり、これによりポール部分の回転が、別体の構成要素の取付部材に対するポール部分の軸方向の変位を引き起こす。
【００３４】
一実施形態では、トレッキングポールは、取り外し可能な把持部をさらに備え、把持部は、ポール部分の取付部材が取り外し可能に取り付けられる取付部材を備える。
【００３５】
一実施形態では、把持部の取付部材は、磁気結合部を提供するための磁気要素を含んでいる。
【００３６】
一実施形態では、把持部の取付部材は、軌道または従動子の一方を含み、該軌道または従動子の一方は、ポール部分の軌道または従動子と共に設置可能であり、これによりポール部分の回転が、把持部の取付部材に対するポール部分の軸方向の変位を引き起こす。
【００３７】
ここで、本発明の好ましい実施形態が、添付の図面を参照して、単なる例として以下に記述される。
【図面の簡単な説明】
【００３８】
【図１】本発明の好ましい実施形態による載置システムの図である。
【図２】図1の載置システムの載置部のヘッドユニットを示す図である。
【図３】図2のヘッドユニットの鉛直方向の(図2の断面I-Iに沿った)断面図である。
【図４（ａ）】把持部が嵌め込まれている状態での図1の載置システムの1つのトレッキングポールを示す図である。
【図４（ｂ）】把持部が取り外されている状態での図1の載置システムの1つのトレッキングポールを示す図である。
【図５】トレッキングポールおよび支持結合部の取り付けの(図4(b)の断面II-IIに沿った)拡大断面図である。
【発明を実施するための形態】
【００３９】
載置システムは、この実施形態では三脚載置システムであり、地面などの表面に置かれて物体7に取り付けられる載置部3を備える。この実施形態では、物体7は、カメラ、ライフル、照準器、単眼鏡、または双眼鏡のうちの1つを含む。
【００４０】
この実施形態では、載置システムは、物体7に取り付けられ、かつ載置部3に取り外し可能に取り付け可能である固定具11をさらに備える。代替の実施形態では、固定具11は物体7と一体に形成されてもよい。
【００４１】
代替の実施形態では、物体7は、ネジ結合などによって、載置部3に直接固定されてもよい。
【００４２】
載置部3は、物体7が取り付けられるヘッドユニット15と、この実施形態では3つの脚部である複数の脚部17a〜17cと、を備え、脚部17a〜17cのうちの少なくとも1つはトレッキングポール50によって提供され、脚部17a〜17cはヘッドユニット15に取り付けられ、ヘッドユニット15と、ヘッドユニット15に支持されている物体7と、を支持する。
【００４３】
この実施形態では、ヘッドユニット15は、支持体21と、物体7が取り付けられる物体結合部23と、脚部17a〜17cが取り付けられる、ここでは3つの脚結合部である複数の脚結合部25a〜25cと、を備える。
【００４４】
この実施形態では、物体結合部23は、ここでは玉結合部32を用いて支持体21に旋回可能に結合される取付部材31を備える。
【００４５】
この実施形態では、取付部材31は雄型の凸部の形態であるが、代替で雌型の凹部であってもよい。
【００４６】
この実施形態では、取付部材31は、以下により詳細に記述されるように、物体固定具11の相手側磁気要素83を引き付けるかまたは相手側磁気要素83に引き付けられる、磁気要素33を備える。
【００４７】
一実施形態では、磁気要素33は、ここでは回転の軸の両側に位置付けられる磁石対として提供される磁石を備える。この実施形態では、磁石はネオジム基材料から形成されている。
【００４８】
この実施形態では、取付部材31は、円形の部分または円形に近い部分を有する差込口の形態を有し、これは、物体固定具11の回転と、延いては物体7の回転と、を許容し、表面に置かれたときに載置部3を中心とした物体7の滑らかな回転を許容する。
【００４９】
この実施形態では、脚結合部25a〜25cは、脚部17a〜17cが広げられる第1の外方支持位置と、脚部17a〜17cが隣接して載置部3をより容易に運ぶことができる第2の内方折り畳み位置と、の間を旋回軸40の周りで支持体21に旋回可能に結合される。
【００５０】
この実施形態では、脚結合部25a〜25cは、脚部17a〜17cのそれぞれ1つが取り外し可能に取り付けられる取付部材41を各々備える。
【００５１】
この実施形態では、取付部材41は雌型の凹部の形態であるが、代替で雄型の凸部であってもよい。
【００５２】
この実施形態では、取付部材41は、以下でより詳細に記述されるように、それぞれの脚部17a〜17cの取付部材61の相手側磁気要素63を引き付けるか、または相手側磁気要素63に引き付けられる、磁気要素43を備える。
【００５３】
一実施形態では、磁気要素43は磁石を備える。この実施形態では、磁石はネオジム基材料から形成されている。
【００５４】
この実施形態では、取付部材41は、ここでは凹部の形態の軌道47を含み、この軌道はそれぞれの脚部17a〜17cの取付部材61にある相手側の従動子67を受け入れる。
【００５５】
この構成は、取付部材41に対するそれぞれの脚部17a〜17cの相対回転を通じて、磁気結合部に加えて機械的な結合部を許容する。
【００５６】
この構成はまた、カム作用を提供するための軌道47および従動子67の構成により、取付部材41に対してそれぞれの脚部17a〜17cを回転させるときに、磁気結合部の比較的大きい力をより小さい回転の力によって克服させることができる。
【００５７】
この実施形態では、脚部17a〜17cは、図4(a)および図4(b)に示しているように、細長いポール部分51と、ポール部分51の一方の下方端54にある足部53と、ポール部分51の他方の上方端56にある把持部55と、を各々備えるトレッキングポール50によって提供される。
【００５８】
この実施形態では、ポール部分51は複数の要素51a、51bを備え、要素51a、51bはポール部分51が異なる長さを有することを許容し、ここでは入れ子式の構成によって連続的に延長可能である。
【００５９】
この実施形態では、脚要素51a、51bは複合材料から形成される。
【００６０】
この実施形態では、表面に安定して載ることを可能にするために、各々の足部53はスパイクまたは尖った先を有する。一実施形態では、足部53は、ゴム引きされた先端など、異なる地面の種類に合うように交換可能である。
【００６１】
この実施形態では、ポール部分51は、その一方の上方端に取付部材61を備え、取付部材61は、ヘッドユニット15のそれぞれの脚結合部25a〜25cの取付部材41に取り付けられるように適合されている。
【００６２】
この実施形態では、取付部材61は雄型の凸部の形態であるが、代替で雌型の凹部であってもよく、その場合ヘッド15のそれぞれの取付結合部の取付部材41は雄型の凸部である。
【００６３】
この実施形態では、図5に示しているように、取付部材61は、ヘッドユニット15のそれぞれの脚結合部25a〜25cの取付部材41の相手側磁気要素43を引き付けるか、または相手側磁気要素43に引き付けられる、磁気要素63を備える。
【００６４】
一実施形態では、磁気要素63は磁石を備える。この実施形態では、磁石はネオジム基材料から形成されている。
【００６５】
この実施形態では、取付部材61は、以下でより詳細に記述しているように、ヘッドユニット15のそれぞれの脚結合部25a〜25cの取付部材41において軌道47の相手側になると共に、把持部55の取付部材71において軌道77の相手側にもなる従動子67を備える。
【００６６】
先に記載しているように、この構成は、カム作用を提供するための軌道47および従動子67の構成により、ヘッドユニット15の取付部材41に対してそれぞれの脚部17a〜17cを回転させるときに磁気結合部の比較的大きい力をより小さい回転の力によって克服させることができる。
【００６７】
この実施形態では、把持部55は、ポール部分51が取り外し可能に取り付けられる取付部材71を備える。
【００６８】
この実施形態では、取付部材71は雌型の凹部の形態であるが、代替で雄型の凸部であってもよい。
【００６９】
この実施形態では、取付部材71は、ポール部分51の取付部材61の相手側磁気要素63を引き付けるか、または相手側磁気要素63に引き付けられる、磁気要素73を備える。
【００７０】
この実施形態では、取付部材71は、ここではポール部分51の取付部材61にある相手側の従動子67を受け入れる凹部の形態で、軌道77を備える。
【００７１】
先に論じているように、この構成も、カム作用を提供するための軌道77および従動子67の構成により、把持部55に対してポール部分51を回転させるときに磁気結合部の比較的大きい力をより小さい回転の力によって克服させることができる。
【００７２】
この実施形態では、図3に示しているように、物体固定具11は、ヘッドユニット15の相手側磁気要素33を引き付けるか、または相手側磁気要素33に引き付けられる、磁気要素83を備える取付部材81を備える。
【００７３】
この実施形態では、取付部材81は雌型の凹部の形態であるが、代替で雄型の凸部であってもよく、その場合ヘッドユニット15の物体結合部23の取付部材31は雌型の凹部である。
【００７４】
最後に、本発明はその好ましい実施形態で記述されており、添付の特許請求の範囲によって定められる本発明の範囲から逸脱することなく、多くの異なる方法で変形できることは、理解されるものである。
【００７５】
例えば、一実施形態では、載置部3は、2つの脚部17a、17bをもつ二脚載置部として形成されてもよい。
【符号の説明】
【００７６】
3  載置部
7  物体
11  固定具、物体固定具
15  ヘッドユニット、ヘッド
17a、17b、17c  脚部
21  支持体
23  物体結合部
25a、25b、25c  脚結合部
31  取付部材
32  玉結合部
33  磁気要素
40  旋回軸
41  取付部材
43  磁気要素
47  軌道
50  トレッキングポール
51  ポール部分
51a、51b  要素、脚要素
53  足部
54  下方端
55  把持部
56  上方端
61  取付部材
63  相手側磁気要素
67  従動子
71  取付部材
73  磁気要素
77  軌道
81  取付部材
83  相手側磁気要素
【図１】
2018527533.tif 000003
【図２】
2018527533.tif 000004
【図３】
2018527533.tif 000005
【図４（ａ）】
2018527533.tif 000006
【図４（ｂ）】
2018527533.tif 000007
【図５】
2018527533.tif 000008
【国際調査報告】
2018527533.tif 000009
2018527533.tif 000010